(57)【要約】【課題】  誘導灯の非常点灯持続時間の点検を正確に行うことを可能とする。【解決手段】  商用電源１からの電力供給により点灯するランプ３５と、当該商用電源１から前記ランプ３５への電力供給が停止したときに、前記ランプ３５に電力を供給するバッテリ電源２８とを有する誘導灯１００において、点検者の操作に応じて前記商用電源１と前記ランプ３５との電気的接続を切断するための点検スイッチ３８と、前記点検スイッチ３８と連動して信号を出力するトランジスタ１０と、前記トランジスタ１０から信号が出力されたタイミングで所定時間のカウントを開始するタイマーＩＣ１６と、前記バッテリ電源２８の電源電圧を検出するためのランプ電流検出用抵抗２７と、前記タイマーＩＣ１６がカウントアップするまでに、前記ランプ電流検出用抵抗２７の両端間電圧によって、前記バッテリ電源２８の電源電圧が予め定められた閾値電圧を下回ったことが示された場合に点灯するＬＥＤ２１とを具備する構成とした。【選択図】      図１
2005183282.tif 000002
【特許請求の範囲】
【請求項１】
商用電源からの電力供給により点灯するランプと、当該商用電源から前記ランプへの電力供給が停止したときに、前記ランプに電力を供給するバッテリ電源とを有する誘導灯において、
ユーザの操作に応じて前記商用電源と前記ランプとの電気的接続を切断するための第１のスイッチ手段と、
前記第１のスイッチ手段と連動して信号を出力する信号出力手段と、
前記信号出力手段から信号が出力されたタイミングで所定時間のカウントを開始するタイマー手段と、
前記バッテリ電源の電源電圧を検出する電源電圧検出手段と、
前記タイマー手段がカウントアップするまでに、前記電源電圧検出手段によって前記バッテリ電源の電源電圧が予め定められた閾値電圧を下回ったことが検出された場合に報知する報知手段と
を具備することを特徴とする誘導灯。
【請求項２】
前記第１のスイッチ手段により前記商用電源と前記ランプとの電気的接続が切断された場合、前記タイマー手段がカウントアップするまで、前記第１のスイッチ手段の操作状態にかかわらず、前記商用電源と前記ランプとの電気的接続の切断状態を維持する電力遮断手段
を具備することを特徴とする請求項１に記載の誘導灯。
【請求項３】
前記報知手段は、前記タイマー手段がカウントアップしたとき、前記電源電圧検出手段によって前記バッテリ電源の電源電圧が予め定められた閾値電圧を下回ったことが検出されている場合に、報知を継続する
ことを特徴とする請求項１または２に記載の誘導灯。
【請求項４】
前記報知手段は、
前記バッテリ電源の電源電圧が閾値電圧以下であることを報知する報知回路と、
前記報知回路と前記商用電源との間に設けられ、前記電源電圧検出手段によって前記バッテリ電源の電源電圧が予め定められた閾値電圧を下回ったことが検出された場合に、前記報知回路と前記商用電源とを電気的に接続する第２のスイッチ手段と
を具備することを特徴とする請求項３に記載の誘導灯。
【請求項５】
前記報知手段により報知が行われている場合に、当該報知を停止させる第３のスイッチ手段を更に具備することを特徴とする請求項３に記載の誘導灯。
【請求項６】
前記第１または第３のスイッチ手段の少なくともいずれか一のスイッチ手段は、ユーザによって操作されるリモートコントローラの指示に応じて動作することを特徴とする請求項５に記載の誘導灯。
【発明の詳細な説明】
【技術分野】
【０００１】
本発明は、災害時の避難を容易とするための避難口や避難方向の指示、或いは避難のための照明設備である誘導灯に関する。
【背景技術】
【０００２】
従来から、劇場や旅館、ビル等の人の多く集まる場所には、火災等が発生した際に、避難方向等を指示し、安全な場所に避難、誘導するための誘導灯の設置が義務付けられている。一般に、誘導灯は、商用電源から電力が供給されて点灯すると共に、当該商用電源が停電した場合に、消灯しないようにバッテリ電源を有する構成となっている。
【０００３】
また、火災等の事故で商用電源が停電したときに、バッテリ電源を電力として、誘導灯が所定時間の間、所定の明るさで継続して非常点灯するかの点検を定期的に行うことが義務付けられている（例えば、特許文献１参照）。
【特許文献１】特開平２００２−２３１０２０号公報
【発明の開示】
【発明が解決しようとする課題】
【０００４】
しかしながら、非常点灯の状態を目視で確認することは可能であるものの、その非常点灯持続時間が規定の時間を満足しているかを正確に検査するには、ストップウォッチや時計などで計時しており、非常点灯持続時間を正確に点検するのは困難である。
【０００５】
本発明は、上述した事情に鑑みてなされたものであり、規定された非常点灯持続時間の間、誘導灯が正常に非常点灯するかの点検を正確に行うことが可能な誘導灯を提供することを目的とする。
【課題を解決するための手段】
【０００６】
上記目的を達成するために、本発明は、商用電源からの電力供給により点灯するランプと、当該商用電源から前記ランプへの電力供給が停止したときに、前記ランプに電力を供給するバッテリ電源とを有する誘導灯において、ユーザの操作に応じて前記商用電源と前記ランプとの電気的接続を切断するための第１のスイッチ手段と、前記第１のスイッチ手段と連動して信号を出力する信号出力手段と、前記信号出力手段から信号が出力されたタイミングで所定時間のカウントを開始するタイマー手段と、前記バッテリ電源の電源電圧を検出する電源電圧検出手段と、前記タイマー手段がカウントアップするまでに、前記電源電圧検出手段によって前記バッテリ電源の電源電圧が予め定められた閾値電圧を下回ったことが検出された場合に報知する報知手段とを具備することを特徴とする。
【０００７】
また本発明は、上記発明において、前記第１のスイッチ手段により前記商用電源と前記ランプとの電気的接続が切断された場合、前記タイマー手段がカウントアップするまで、前記第１のスイッチ手段の操作状態にかかわらず、前記商用電源と前記ランプとの電気的接続の切断状態を維持する電力遮断手段とを具備することを特徴とする。
【０００８】
また本発明は、上記発明において、前記報知手段は、前記タイマー手段がカウントアップしたとき、前記電源電圧検出手段によって前記バッテリ電源の電源電圧が予め定められた閾値電圧を下回ったことが検出されている場合に、報知を継続することを特徴とする。
【０００９】
また本発明は、上記発明において、前記報知手段は、前記バッテリ電源の電源電圧が閾値電圧以下であることを報知する報知回路と、前記報知回路と前記商用電源との間に設けられ、前記電源電圧検出手段によって前記バッテリ電源の電源電圧が予め定められた閾値電圧を下回ったことが検出された場合に、前記報知回路と前記商用電源とを電気的に接続する第２のスイッチ手段とを具備することを特徴とする。
【００１０】
また本発明は、上記発明において、前記報知手段により報知が行われている場合に、当該報知を停止させる第３のスイッチ手段とを更に具備することを特徴とする。
【００１１】
また本発明は、上記発明において、前記第１または第３のスイッチ手段の少なくともいずれか一のスイッチ手段は、ユーザによって操作されるリモートコントローラの指示に応じて動作することを特徴とする。
【発明の効果】
【００１２】
本発明によれば、規定された非常点灯持続時間の間、誘導灯が正常に非常点灯するかの点検を正確に行うことが可能となる。
【発明を実施するための最良の形態】
【００１３】
以下図面を参照して、本発明の実施の形態について説明する。図１は、本実施の形態に係る誘導灯１００の電気的構成の一例を示す回路図である。この図に示すように、誘導灯１００は、交流の商用電源１に接続され、この商用電源１から交流電力が供給されると共に、この商用電源１の稼動が停止した場合には、後述するバッテリ電源２８から電力が供給される。具体的には、商用電源１には、点滅スイッチ３を介して安定器３７、切替部３４及びランプ３５が直列に接続される。切替部３４は、切替制御部４５（後述）の制御に基づいて、商用電源１とバッテリ電源２８との間で選択的に電源を切り替えるものであり、通常時には商用電源１を選択し、この商用電源１からの電力がランプ３５に供給されて、ランプ３５が通常点灯する。
【００１４】
また、この誘導灯１００は、バッテリ電源２８を充電するバッテリ充電機能、商用電源１からの電力供給停止時にバッテリ電源２８の電力でランプ３５を非常点灯する機能、ランプ３５が非常点灯してから所定時間を計時する機能、および、非常点灯の持続時間が所定の時間に満たない場合に報知する報知機能とを実現するための回路を備えている。
【００１５】
バッテリ充電機能は、商用電源１の商用電源電圧を降圧して出力する変圧トランス４と、降圧された商用電源電圧を直流電圧に整流して出力する整流回路６と、この直流電圧をバッテリ電源２８に印加してバッテリ電源２８を充電する充電回路５０とから大略構成された回路により実現される。ここで、充電回路５０は、充電電流を制限するための抵抗１１及び逆電流を防止するためのダイオード１２から構成され、さらに、この充電回路５０には、充電状態をモニタリングするために、抵抗４８及びＬＥＤ４９が設けられている。整流回路６からの出力電圧がＬＥＤ４９の駆動閾値をこえている間、すなわち、バッテリ電源２８が充電されている間、ＬＥＤ４９が点灯し、充電が行われていることを報知する。ここで、上記整流回路６は、例えば複数のダイオードをブリッジ接続して構成され、整流回路６の出力側には、整流回路６の整流出力に含まれるリップル成分を小さくするための平滑コンデンサ７が介挿される。また変圧トランス４の入力側（一次側）には、ノイズを除去するためのコンデンサ２が設けられており、ノイズによる誤動作を防止している。
【００１６】
商用電源１からの電力供給停止時にバッテリ電源２８の電力でランプ３５を非常点灯する機能は、切替制御部４５と、ＤＣ−ＡＣ変換回路３３と、切替部３４とから大略構成された回路により実現される。切替制御部４５は、上記切替部３４を制御するものであり、整流回路６の出力に接続され、当該整流回路６の出力電圧を監視し、この出力電圧が所定値を下回った場合に、切替部３４に対し、電源としてバッテリ電源２８を選択するよう指示する。ＤＣ−ＡＣ変換部３３は、バッテリ電源２８からの直流電圧を交流電圧に変換して切替部３４に出力するものである。
【００１７】
従って、整流回路６の出力電圧が所定値を下回った場合、すなわち、商用電源１からの電力供給が停止等した場合、切替部３４が切替制御部４５の指示に基づいて電源を切り替え、バッテリ電源２８の電力がランプ３５に供給されて、ランプ３５の点灯が非常点灯に切り替わる。また、本実施の形態では、整流回路６と切替制御部４５との間に、常閉接点スイッチたる点検スイッチ３８（第１のスイッチ手段）が介挿されており、点検者（ユーザ）が点検を実施する時には、この点検スイッチ３８を操作して開成する。これにより、整流回路６と切替制御部４５とが電気的に切断され、切替制御部４５への商用電源１からの電力供給が停止するため、切替制御部４５が切替部３４に対して、商用電源１とランプ３５との電気的接続を切断し、バッテリ電源２８とランプ３５とを電気的に接続するように指示することで、ランプ３５がバッテリ電源２８からの電力により非常点灯する。すなわち、点検スイッチ３８の操作により、商用電源１の稼動が停止した状態が擬似的につくられることとなる。
【００１８】
ランプ３５の非常点灯開始からの時間を計時する機能は、タイマーＩＣ１６と、トランジスタ１０（信号入力手段）とから大略構成された回路により実現される。タイマーＩＣ１６は、リセット端子（ストップ端子）１６−２と、グランド（アース）端子１６−４と、出力端子１６−６と、電源端子１６−７とを備え、リセット端子１６−２に信号が入力されると、所定時間のタイマカウントを開始し、タイマカウントを行っている間、出力端子１６−６から出力信号を出力するものである。タイマーＩＣ１６のカウント時間は、非常点灯継続時間として要求されるＪＩＬ規格等で規定された定格時間であり、例えば２０分や６０分等である。
【００１９】
タイマーＩＣ１６は、電源端子１６−７から電力供給を受けて動作し、この電源端子１６−７が抵抗１３を介して充電回路５０とバッテリ電源２８との接続端に接続されると共に、定電圧ダイオード１８を介して点検スイッチ３８の出力側にも接続されており、点検スイッチ３８が閉成されている間は、商用電源１から電力が安定的に供給され、また、点検スイッチ３８が開成された場合には、バッテリ電源２８から電力が供給される。また、このように、定電圧ダイオード１８を介して電源端子１６−７に供給することで、電源端子１６−７における電源電圧の安定化が図られている。このタイマーＩＣ１６は、抵抗１４の抵抗値及び電解コンデンサ１９の容量を変えることで、そのカウント時間が設定可能となっている。
【００２０】
上記リセット端子１６−２は、抵抗９及び１３を介して充電回路５０とバッテリ電源２８との接続端に接続され、抵抗９及び１３により分圧された直流電圧が印加される。更に、このリセット端子１６−２は、トランジスタ１０を介してグランドに接続され、トランジスタ１０がオンの間は、抵抗９がグランドに接続されるため、リセット端子１６−２への電圧印加（信号入力）が遮断される。このトランジスタ１０は、整流回路６の出力電圧に応じてオン／オフするものであり、コレクタ端子が上記リセット端子１６−２に接続されると共に、エミッタ端子がグランド端子１６−４に接続され、更に、ベース端子が抵抗８を介して整流回路６の出力に接続される。
【００２１】
従って、整流回路６からの出力電圧によって、トランジスタ１０がオンとなり、上記抵抗９がグランドに接続され、リセット端子１６−２への電圧印加が遮断されると共に、整流回路６からの出力電圧が遮断されると（より詳細には、トランジスタ１０の動作閾値電圧を下回ると）、すなわち、上記点検スイッチ３８が開成すると、これと連動してトランジスタ１０がオフとなり、上記抵抗９がグランドから絶縁される。この結果、リセット端子１６−２に直流電圧が印加されて、タイマーＩＣ１６がタイマカウントを開始する。また、上記点検スイッチ３８が開成して商用電源１からの電力供給が停止すると、前述のように、切替制御部４５が切替部３４を制御することで、バッテリ電源２８の電力がランプ３５に供給され、ランプ３５が非常点灯する。
【００２２】
ランプ３５の非常点灯持続時間が所定の定格時間に満たない場合に報知する報知機能は、ＬＥＤ（Light Emitting Diode）２１（報知回路）と、ＬＥＤ点灯制御回路５１とから大略構成された回路により実現される。具体的には、ＬＥＤ２１は、ランプ３５の非常点灯持続時間が所定の定格時間に満たない場合に点灯して、その旨を報知するものであり、電流調整用抵抗２０と、常閉接点スイッチであるリセットスイッチ４７（第３のスイッチ手段）と、電流調整用抵抗４６とを順に介して整流回路６の出力側に接続され、リセットスイッチ４７が閉成している間は商用電源１から電力が供給される。このＬＥＤ２１は、後述するＬＥＤ点灯制御回路５１により点灯が制御される。
【００２３】
上記ＬＥＤ点灯制御回路５１は、タイマーＩＣ１６がタイムアップする前に、バッテリ電源２８からランプ３５に加わる電圧が所定値以下となった場合、ＬＥＤ２１を点灯させて、その旨を報知するものであり、ランプ電流検出用抵抗２７と、このランプ電流検出用抵抗２７（電源電圧検出手段）に印加される電圧値が所定値以下となった場合にオンとなるトランジスタ２６と、ＬＥＤ２１とグランドとの間に介挿され、トランジスタ２６のオン／オフと連動してＬＥＤ２１の出力をグランドに接続するサイリスタ２２（第２のスイッチ手段）とを備えている。詳述すると、ランプ電流検出用抵抗２７は、ランプ３５に直列に接続され、更に、このランプ電流検出用抵抗２７には、抵抗３０、整流用ダイオード３１、電解コンデンサ３２及び定電圧ダイオード２９が順に直列接続されてなるトランジスタ制御回路５２が並列に接続されている。
【００２４】
トランジスタ制御回路５２は、トランジスタ２６のオン／オフを制御するものであり、抵抗３０及び定電圧ダイオード２９の分圧点から引き出された信号線がトランジスタ２６のベース端子に接続される。従って、抵抗３０及び定電圧ダイオード２９により定められる閾値電圧よりも、ランプ電流検出用抵抗２７の両端間電圧が低くなると、トランジスタ２６がオフとなる。ここで閾値電圧は、ランプ３５の非常点灯時における明るさが基準を満たすことを保証する最低限の閾値電圧（バッテリ電源２８の電圧）に設定されている。
【００２５】
トランジスタ２６は、そのコレクタ端子がタイマーＩＣ１６の出力端子１６−６に接続されると共に、エミッタ端子がグランドに接続されており、トランジスタ２６がオンの間は、タイマーＩＣ１６の出力端子１６−６がグランドに接続される。また、上記サイリスタ２２のゲート端子は、出力端子１６−６に接続される。従って、タイマカウント動作に伴って出力端子１６−６から信号が出力されている間に、トランジスタ２６がオフとなった場合、すなわち、バッテリ電源２８の電源電圧が所定の閾値電圧よりも小さくなったときに、サイリスタ２２がオンとなり、ＬＥＤ２１に電流が流れ、当該ＬＥＤ２１が点灯して、その旨を報知する。
【００２６】
また、上記のように、ＬＥＤ２１は、リセットスイッチ４７を介して整流回路６の出力に接続され、商用電源１から電源が供給されているため、サイリスタ２２が一旦オンとなると、サイリスタ２２のゲート電圧が動作閾値を下回っても、すなわち、タイマーＩＣ１６がカウントアップしたとしても、リセットスイッチ４７が開成して商用電源１との電気的接続が切断されるまで、点灯が持続することとなる。
【００２７】
さらに、本実施の形態においては、タイマーＩＣ１６がタイムアップする前に、商用電源１の電力がランプ３５およびバッテリ電源２８に供給されるのを禁止すべく、点検スイッチ３８の後段には、商用電源遮断回路５３（電力遮断手段）が介挿されている。この商用電源遮断回路５３は、タイマーＩＣ１６がタイマカウント動作をしている間、すなわち、タイマーＩＣ１６の出力端子１６−６から信号が出力されている間、整流回路６とバッテリ電源２８との接続を切断するものであり、３つのトランジスタ３９、４１、４３から大略構成されている。トランジスタ３９は、点検スイッチ３８とバッテリ電源２８との間に設けられ、タイマーＩＣ６の出力端子１６−６からの出力の有無に応じてオン／オフする。
【００２８】
具体的には、トランジスタ３９は、エミッタ端子が点検スイッチ３８の出力に接続され、コレクタ端子がバッテリ電源２８の入力側に接続されたｎｐｎ型のトランジスタであり、そのベース端子がトランジスタ４１に接続され、このトランジスタ４１のオン／オフと連動して、点検スイッチ３８とバッテリ電源２８とを接続或いは切断する。トランジスタ４１は、コレクタ端子が電流調整用抵抗４０を介して上記トランジスタ３９のベース端子に接続され、エミッタ端子がグランドに接続されると共に、ベース端子が電流調整用抵抗４２を介して整流回路６の出力端に接続される。また、トランジスタ４１のベース端子はトランジスタ４３を介してグランドにも接続されており、このトランジスタ４３がオンの間、トランジスタ４１は、ベース端子がグラウンドに接続されてオフとなる。トランジスタ４３は、タイマーＩＣ１６の出力の有無に応じてオン／オフするものであり、そのコレクタ端子がトランジスタ４１のベース端子に接続され、エミッタ端子がグランドに接続されると共に、ベース端子がタイマーＩＣ１６の出力端子１６−６に接続されている。
【００２９】
従って、タイマーＩＣ１６がカウント動作している間は、トランジスタ４３がオンとなると共に、トランジスタ３９及び４１がオフとなり、整流回路６からバッテリ電源２８への電力供給が遮断され、また、タイマーＩＣ１６がカウントアップすると、トランジスタ４３がオフとなると共に、トランジスタ３９及び４１がオンとなり、整流回路６からバッテリ電源２８への電力供給が開始し、バッテリ電源２８の充電が行われる。また、整流回路６とバッテリ電源２８とが電気的に接続されると、切替制御部４５により整流回路６からの電力供給が検知され、切替部３４が商用電源１からの電力をランプ３５に供給するように電源を切え替ることで、ランプ３５が通常点灯することとなる。
【００３０】
次いで、本実施の形態の動作について説明する。
【００３１】
商用電源１からの電力でランプ３５を点灯する通常点灯時においては、点検スイッチ３８が閉成して、商用電源１の電力が整流回路６を介してバッテリ電源２８へ供給され、バッテリ電源２８の充電が行われる。
【００３２】
一方、点検者が点検を行う際には、図示せぬスイッチを操作して点検スイッチ３８を一旦開成させる。この結果、整流回路６と切替制御部４５との電気的接続が切断され、切替制御部４５により商用電源１からの電力供給停止が検知されて、ランプ３５がバッテリ電源２８からの電力にて点灯する非常点灯状態となると共に、上記トランジスタ１０がオフとなるため、タイマーＩＣ１６のリセット端子１６−２に信号が入力されて、タイマーＩＣ１６が所定時間のタイマカウントを開始する。このとき、タイマーＩＣ１６の出力端子１６−６からの出力電圧により、トランジスタ４３がオンとなるため、トランジスタ４０、４１がオフとなり、点検スイッチ３８が再び閉成したとしても、タイマーＩＣ１６がカウントアップするまでは、整流回路６と、バッテリ電源２８およびランプ３５とが電気的に切断された状態が維持されることとなる。
【００３３】
また、タイマーＩＣ１６がカウントアップする前に、バッテリ電源２８の電源電圧が上記閾値電圧を下回ると、サイリスタ２２がオンとなり、商用電源１から電力供給されているＬＥＤ２０が点灯する。このＬＥＤ２０の点灯は、一旦点灯すると、リセットスイッチ４７が開成されるまで継続することとなる。従って、点検者は、点検スイッチ３８を操作すれば、ランプ３５の点灯を目視で監視し続ける必要が無く、タイマーＩＣ６がカウントアップした後に、ＬＥＤ２１の点灯の有無を確認するだけで、このランプ３５が所定時間の間、非常点灯を持続したか否かを判断することが可能となる。
【００３４】
なお、タイマーＩＣ６がカウント動作を行うのは、商用電源１が稼動している場合だけであり、当該商用電源１が災害などで停止した場合には、各トランジスタ１０、２６等やサイリスタ２２の動作が停止するため、タイマーＩＣ６の動作が禁止される。従って、実際の災害時に、バッテリ電源２８の電力がタイマーＩＣ６等の点検のための回路で消費されるのが防止される。
【００３５】
以上説明したように、本実施の形態の誘導灯１００によれば、点検者が商用電源１とランプ３５との電気的接続を切断すべく点検スイッチ３８の操作した場合に、この点検スイッチ３８と連動してトランジスタ１０が動作し、このトランジスタ１０の動作タイミングで上記タイマーＩＣ１６がカウントを開始する構成としたため、点検者は、ランプ３５の非常点灯継続時間が、ＪＩＬ等で規定された所定の時間を満たすか、すなわち、非常点灯持続時間を正確かつ容易に検査することが可能となる。
【００３６】
また、本実施の形態の誘導灯１００によれば、点検スイッチ３８により商用電源１とランプ３５との電気的接続が切断された場合、タイマーＩＣ１６がカウントアップするまで、点検スイッチ３８の操作状態にかかわらず、商用電源１とランプ３５との電気的接続の切断状態を維持する商用電源遮断回路５３を備える構成であるため、タイマーＩＣ１６のカウントアップ前に点検スイッチ３８が操作されてしまった場合であっても、タイマーＩＣ１６がカウントアップするまで商用電源１からランプ３５への電力供給が遮断され、ランプ３５の非常点灯継続時間を検査することが可能となる。
【００３７】
また、この構成により、点検スイッチ３８として、点検者が操作している間だけ開成し、操作後は自動で閉成する常閉接点スイッチを用いることができ、これにより、点検者が点検スイッチ３８を操作せずとも、タイマーＩＣ１６のカウントアップ後に商用電源１からランプ３５に自動的に電力が供給され、ランプ３５が通常点灯するため、点検者の労力を低減し、以って点検者の点検作業を容易なものとすることが可能となる。
【００３８】
また、本実施の形態の誘導灯１００によれば、ＬＥＤ２１は、タイマーＩＣ１６がカウントアップしたとき、バッテリ電源２８の電源電圧が予め定められた閾値電圧を下回っている場合に、その点灯を継続する構成であるため、点検者は、誘導灯１００の点検中にＬＥＤ２１が点灯するかを監視し続ける必要はなく、タイマーＩＣ１６がカウントアップした後であっても、ＬＥＤ２１の点灯を確認することが可能となる。また、このＬＥＤ２１の点灯を停止するためのリセットスイッチ４７を設けることにより、点検終了後、速やかにＬＥＤ２１の消灯を行うことができる。
【００３９】
上述した実施の形態は、あくまでも本発明の一態様を示すものであり、本発明の範囲内で任意に変形可能である。
【００４０】
例えば、上述した実施の形態においては、非常点灯持続時間として規定されている所定時間内（すなわち、タイマーＩＣ１６のカウントアップ前）に、バッテリ電源２８の電圧が所定の閾値電圧を下回った場合に、その旨を報知する手段として、ＬＥＤ２１を用いる構成について例示したが、これに限らない。すなわち、他の表示装置を用いて報知する構成や音等で報知する構成であっても良く、また、他の装置に対して無線や有線にて信号を送信し通知する構成としても良い。
【００４１】
また例えば、上述した実施の形態においては、点検スイッチ３８およびリセットスイッチ４７として常閉接点スイッチを用いる構成について例示したが、これに限らず、ユーザによって操作されるリモートコントローラの指示に応じて動作するように構成することも可能である。この構成により、誘導灯１００が高所に設置されている場合に、上記点検スイッチ３８およびリセットスイッチ４７を操作するために脚立等を用意する必要がなく、その点検作業を容易に行うことが可能となる。
【図面の簡単な説明】
【００４２】
【図１】本発明の実施の形態にかかる誘導灯の構成を示す回路図である。
【符号の説明】
【００４３】
１  商用電源
６  整流回路
１０  トランジスタ（信号出力手段）
１６  タイマーＩＣ
２１  ＬＥＤ（報知手段）
２２  サイリスタ（第２のスイッチ手段）
２７  ランプ電流検出用抵抗（電源電圧検出手段）
２８  バッテリ電源
３４  切替部
３５  ランプ
３８  点検スイッチ（第１のスイッチ手段）
４５  切替制御部
４７  リセットスイッチ（第３のスイッチ手段）
５１  ＬＥＤ点灯制御回路
５３  商用電源遮断回路（電力遮断手段）
１００  誘導灯
【図１】
2005183282.tif 000003